(57)【特許請求の範囲】
【請求項１】
少なくとも表示部と操作ボタンとを有する一の被検査機器と、
前記一の被検査機器の動作状態を検出する動作状態検出手段及び前記一の被検査機器の前記操作ボタンを操作可能なボタン操作手段を備えたマニピュレータと、
前記マニピュレータから、前記動作状態検出手段にて検出された前記一の被検査機器の動作状態を示す信号を受信して、この受信した信号に基づき前記一の被検査機器の動作の可否を判断する制御手段と、
を有して構成される機器の検査装置において、
前記制御手段は、前記一の被検査機器と同機種の他の被検査機器が接続されて、当該他の被検査機器での操作ボタンの操作に応じた操作信号を入力する入力部と、前記入力部により入力された前記操作信号に基づき前記ボタン操作手段を動作させる操作手順を設定する手順設定手段と、を有し、前記手順設定手段にて設定された前記操作手順に応じた前記ボタン操作手段の操作動作による前記一の被検査機器の動作の可否を判断する
ことを特徴とする機器の検査装置。
【請求項２】
請求項１に記載の機器の検査装置において、
前記制御手段は、前記手順設定手段にて設定された前記操作手順に応じて動作される前記ボタン操作手段から動作内容を示す信号を受信して、当該動作内容を示す信号に基づき設定される前記一の被検査機器の動作状態と前記動作状態検出手段からの信号に基づく動作状態とを比較して前記一の被検査機器の動作の可否を判断する
ことを特徴とする機器の検査装置。
【請求項３】
請求項１又は２に記載の機器の検査装置において、
前記動作状態検出手段は、前記一の被検査機器の前記表示部を撮像して画像を得る撮像手段であり、
前記制御手段は、前記一の被検査機器の表示部の表示内容の可否を判断する
ことを特徴とする機器の検査装置。
【請求項４】
請求項１乃至３の何れか１項に記載の機器の検査装置において、
前記制御手段は、前記一の被検査機器の操作ボタンに対応する画像を表示可能な操作画像表示部を有し、前記手順設定手段は、前記操作画像表示部に表示されている操作ボタンに対する指示操作に応じて前記手順設定を設定可能である
ことを特徴とする機器の検査装置。
【請求項５】
請求項４に記載の機器の検査装置において、
前記動作状態検出手段は、前記一の被検査機器の前記表示部を撮像して画像を得る撮像手段であり、
前記操作画像表示部は、予め得ておいた前記一の被検査機器の全体像を表示して、表示した前記一の被検査機器の全体像の表示部位置に前記撮像手段で撮像された前記一の被検査機器の前記表示部の画像を表示するとともに、前記全体画像の前記操作ボタンの画像に対して前記一の被検査機器の操作ボタンを操作する前記ボタン操作手段を割り当てて、
前記制御手段は、前記操作画像表示部により前記割り当てた前記操作ボタンの画像部に対する指示操作によって前記ボタン操作手段を動作させるとともに、当該動作によって変化する前記一の被検査機器の表示部の表示内容から、前記一の被検査機器の前記操作ボタンの操作と前記表示との一致性を確認可能とする
ことを特徴とする機器の検査装置。
【請求項６】
請求項１乃至５の少なくとも何れか１項に記載の機器の検査装置において、
前記制御手段は、前記手順設定手段によって設定される前記操作手順に応じて前記一の被検査機器の動作を指定し、この指定された前記一の被検査機器の動作と前記操作手順に応じた前記ボタン操作手段の操作動作による前記一の被検査機器の動作との一致性を確認可能としてなる
ことを特徴とする機器の検査装置。
【請求項７】
請求項１乃至６の少なくとも何れか１項に記載の機器の検査装置において、前記被検査機器が携帯電話であることを特徴とする機器の検査装置。
【発明の詳細な説明】
【技術分野】
【０００１】
本発明は、携帯電話等のように少なくとも表示部と操作ボタンとを有する被検査機器（以下、本明細書において、携帯電話等と言う。特に必要がある場合には、その都度別途の記載をする。）の操作ボタンが設計通りに機能し、表示されるかどうかを判定するための機器の検査装置に関する。
【背景技術】
【０００２】
液晶などを用いた表示部と多数の操作ボタンとが携帯電話等には設けられており、ユーザーは適宜操作ボタンを操作して電話やメール送受信等を行うようになっている。
【０００３】
通常、携帯電話等の操作ボタンは、電話をかけるためのダイアリングだけでなく、電話機としての種々の設定のためにも用い得るように設計されている。例えばオートロック、通話料金表示、使用時間表示、着信音設定等の設定が行えるようになっており、近年ではさらにいっそう多種多様かつ複雑な設定ができるようになっている。
【０００４】
したがって携帯電話等の製造者は、不具合なくこれらの設定操作、動作が行えるかどうかを出荷前に検査して判定、確認しておく必要がある。このような判定、確認を機械的に行える装置等も出現してきているが、現状では完全に満足がいく使い勝手のものはなく、多少なりとも種々改良が求められていた。
【特許文献１】特開２００１−２６８２０２号公報
【発明の開示】
【発明が解決しようとする課題】
【０００５】
そこで本発明は、携帯電話等の操作ボタンによる種々の設定動作が設計通りに行えるようになっているかどうかの判定を行う手順の設定に、その被検査機器自体を使用できるようにした機器の検査装置を提供することを目的とする。
【課題を解決するための手段】
【０００６】
請求項１に係る本発明の機器の検査装置は、前記目的を達成するために、少なくとも表示部と操作ボタンとを有する一の被検査機器と、前記一の被検査機器の動作状態を検出する動作状態検出手段及び前記一の被検査機器の前記操作ボタンを操作可能なボタン操作手段を備えたマニピュレータと、前記マニピュレータから、前記動作状態検出手段にて検出された前記一の被検査機器の動作状態を示す信号を受信して、この受信した信号に基づき前記一の被検査機器の動作の可否を判断する制御手段と、を有して構成される機器の検査装置において、前記制御手段は、前記一の被検査機器と同機種の他の被検査機器が接続されて、当該他の被検査機器での操作ボタンの操作に応じた操作信号を入力する入力部と、前記入力部により入力された前記操作信号に基づき前記ボタン操作手段を動作させる操作手順を設定する手順設定手段と、を有し、前記手順設定手段にて設定された前記操作手順に応じた前記ボタン操作手段の操作動作による前記一の被検査機器の動作の可否を判断することを特徴とする。
【０００７】
同請求項２に係るものは、請求項１に記載の機器の検査装置において、前記制御手段は、前記手順設定手段にて設定された前記操作手順に応じて動作される前記ボタン操作手段から動作内容を示す信号を受信して、当該動作内容を示す信号に基づき設定される前記一の被検査機器の動作状態と前記動作状態検出手段からの信号に基づく動作状態とを比較して前記一の被検査機器の動作の可否を判断することを特徴とする。
【０００８】
同請求項３に係るものは、請求項１又は２に記載の機器の検査装置において、前記動作状態検出手段は、前記一の被検査機器の前記表示部を撮像して画像を得る撮像手段であり、前記制御手段は、前記一の被検査機器の表示部の表示内容の可否を判断することを特徴とする。
同請求項４に係るものは、請求項１乃至３の何れか１項に記載の機器の検査装置において、前記制御手段は、前記一の被検査機器の操作ボタンに対応する画像を表示可能な操作画像表示部を有し、前記手順設定手段は、前記操作画像表示部に表示されている操作ボタンに対する指示操作に応じて前記手順設定を設定可能であることを特徴とする。
同請求項５に係るものは、請求項４に記載の機器の検査装置において、前記動作状態検出手段は、前記一の被検査機器の前記表示部を撮像して画像を得る撮像手段であり、前記操作画像表示部は、予め得ておいた前記一の被検査機器の全体像を表示して、表示した前記一の被検査機器の全体像の表示部位置に前記撮像手段で撮像された前記一の被検査機器の前記表示部の画像を表示するとともに、前記全体画像の前記操作ボタンの画像に対して前記一の被検査機器の操作ボタンを操作する前記ボタン操作手段を割り当てて、前記制御手段は、前記操作画像表示部により前記割り当てた前記操作ボタンの画像部に対する指示操作によって前記ボタン操作手段を動作させるとともに、当該動作によって変化する前記一の被検査機器の表示部の表示内容から、前記一の被検査機器の前記操作ボタンの操作と前記表示との一致性を確認可能とすることを特徴とする。
同請求項６に係るものは、請求項１乃至５の少なくとも何れか１項に記載の機器の検査装置において、前記制御手段は、前記手順設定手段によって設定される前記操作手順に応じて前記一の被検査機器の動作を指定し、この指定された前記一の被検査機器の動作と前記操作手順に応じた前記ボタン操作手段の操作動作による前記一の被検査機器の動作との一致性を確認可能としてなることを特徴とする。
同請求項７に係るものは、請求項１乃至６の少なくとも何れか１項に記載の機器の検査装置において、前記被検査機器が携帯電話であることを特徴とする。
【発明の効果】
【０００９】
本発明に係る機器の検査装置は、携帯電話等の被検査機器の操作ボタンによる種々の設定動作が設計通りに行えるようになっているかどうかの判定を行う手順の設定に、その被検査機器自体を使用でき、複数の操作ボタンによる種々の設定動作が設計通りに行えるかどうかのチェックを簡単に実施できるようになるという効果がある。
【発明を実施するための最良の形態】
【００１０】
以下本発明を実施するための最良の形態を、図に示す実施例を参照して説明する。
【実施例１】
【００１１】
以下本発明の実施の形態を図面を参照して説明する。
図１は、本発明に係る機器の検査装置の一実施形態を概念的に示す概念図である。図中ＱＣは制御手段であるコンピュータ、ＭＰは後述する種々の機器等を内蔵したマニピュレータ、そして１ｘは被検査機器（本発明の他の被検査機器に相当）と同機種で後述するシナリオ作成用の携帯電話である。
【００１２】
本実施形態装置のマニピュレータＭＰは、判定、検査しようとする携帯電話（本発明の一の被検査機器に相当）１を予め定めた状態（図示の例では水平状態）にセットするためのベース２、携帯電話１の表示部であるＬＣＤパネル３の表示画面を撮像し、ＬＣＤパネル３の画像を得る小型カメラ（動作状態検出手段）４、携帯電話１の操作ボタン（以下では特に必要がないかぎりキーボタンという。）５・・・の一つを押し下げ可能なレリーズ（押下手段）６を複数有するプランジャーユニット（ボタン操作手段）７を備えて構成されている。
【００１３】
また、プランジャーユニット７の動作を制御するとともに、この動作制御に対応するＬＣＤパネル３の表示内容の可否を判断する等の制御のためのコンピュータＱＣは、コンピュータ本体８と、マニピュレータＭＰの小型カメラ４で得たＬＣＤパネル３の画像やコンピュータ本体（制御手段）８からの信号に基づく画像の表示手段となるモニタ９とを備えて構成されている。
【００１４】
そしてコンピュータＱＣは、マニピュレータＭＰにより判定、検査しようとする携帯電話１と同機種の携帯電話１ｘと接続されて、図示しない入力部により当該携帯電話１ｘからの信号を入力可能に構成されており、この携帯電話１ｘは、後述するコンピュータＱＣによるシナリオ作成用に用いることができるようになっている。なお、携帯電話１ｘとしては、完全に同一の機種だけではなく、操作ボタン等の配置がよく似た類似の機種を使用することも可能である。
【００１５】
本実施形態装置の使用例について説明する。本実施形態装置は、基本的には、ベース２上に水平に載置した携帯電話１のキーボタン５に対してプランジャーユニット７の所望のレリーズ６を駆動してキーボタン５を押し下げ、この押し下げによって変化するＬＣＤパネル３を小型カメラ４により撮影し、所望のキーボタン５の押し下げに伴って設計、製造時に設定した通りの画像がＬＣＤパネル３に表れるか否か等を判定するものであるが、普段の他の種類の検証等で使い慣れている携帯電話１ｘをコンピュータＱＣに接続して、当該携帯電話１ｘを直に操作してもシナリオを作成できるようになっている。
【００１６】
図２は、モニタ９に表示させる携帯電話１の画面の内容を示す図である。この画面は、小型カメラ４により撮影したＬＣＤパネル３の画像３ａと、たとえばデジタルカメラ等で撮像して予め得ておいた判定、検査対象となる携帯電話１の全体平面画像１ａとを合成して示している。このメイン画面では、携帯電話１の全体平面画像１ａに表れている各種キーボタン５・・・の画像に対して適宜のエリアを有する枠５ａを設定し、これらの枠５ａごとにプランジャーユニット７のレリーズ６の番号を割り当て、これによって遠隔でプランジャーユニット７を駆動、制御できるようにする。
【００１７】
すなわち図２で全体平面画像１ａのキーボタンの画像の周りに表れている矩形の枠５ａがレリーズ６の番号を割り当て済みのものであり、この割り当てを行うと、携帯電話１に対する設定ファイルを作成できる。設定ファイルの作成手順を詳細に説明する。まず予め得てコンピュータ本体８の記憶装置（図示せず）内に格納しておいた携帯電話１の画像を指定して呼び出し、モニタ９に表示する。ついで小型カメラ４により撮影したＬＣＤパネル３の画像を表示する範囲をモニタ９上で指定する。具体的には、ＬＣＤパネル３の画像を表示するエリアをモニタ９の画面上でマウス等のポインティングデバイスでドラッグすることによって座標を指定して設定する。
【００１８】
この指定座標をコンピュータ本体８はその記憶装置に記憶する。この設定したエリアに、小型カメラ４で得た画像を表示する。
【００１９】
各キーボタン５に対する設定は、例えば「電源／ＯＦＦ」ボタン５ｘに対する場合には、電源ＯＦＦボタン５ｘの周りをマウス等でドラッグし、四角い矩形の枠５ａを描き、この枠５ａに対してキーボタンの名称やレリーズ６の番号を割り当てる。図示は省略するが、モニタ９の画面上に設定用の小画面を出すようにするとよい。もちろんコンピュータ８は、これらの枠の座標と名称等も記憶しておく。そして設定した情報を、設定ファイルとしてコンピュータ８の記憶装置に保存する。
【００２０】
図３は、モニタ９にシナリオ作成編集画面として表示させる画面の内容を示す図である。この画面は、主に、コマンド設定メニュー１０・・により操作可能な画面となっているシナリオ表示用のシナリオリストボックス１１と、入力したコマンドの構文チェック結果を表示する出力表示部１２から構成してある。コマンドの入力は、コンピュータＱＣのキーボードやマウス等の入力手段、上述したモニタ９のメイン画面上のキーボタン（実際には枠５ａ）あるいは携帯電話１ｘの実際のキーボタン５を操作することで行い、シナリオ（本明細書において、プランジャーユニット７によるキーボタン５の操作手順を言う。）を作成する。このシナリオ作成編集画面を用いて作成したシナリオの一例を図４に示す。
【００２１】
作成するシナリオには、例えばキーボタン５の操作コマンドとして、複数押し（同時に複数のキーボタン５を押下するコマンド）、押下時間（携帯電話のボタンを押下する時間の設定、押下間隔（１つのコマンドが終わってから次の処理に移るまでの間隔）等がある。折り畳み式携帯電話の開閉動作ボタンの押下間隔も設定できる。また、再生、制御、単体シナリオ呼び出し、リモートシナリオ呼び出し、待ち、繰り返し、停止、判定の各コマンドも設定できる。判定コマンドは、ＬＣＤパネル３の画像３ａの期待値を取得し、その場で判定（即時判定）を行い、判定結果によってシナリオ実行を続けたり停止したりするためのものである。取得した実測値の判定は図５のような確認画面で行う。なお期待画像には、例えばｊｐｇ、ｂｍｐ、ｅｍｆ等の形式のファイルを使用できる。
【００２２】
また、携帯電話１ｘを用いてシナリオを作成する場合、携帯電話１ｘのキーボタン５を操作することにより、この操作に応じた信号がコンピュータ８に出力される。コンピュータ８は、この操作信号を入力すると、この操作信号に基づきプランジャーユニット７によるキーボタン５の操作手順であるシナリオを作成する。この際には、上述したシナリオ作成編集画面を用いたシナリオ作成の場合と同様に、複数押し、押下時間、押下間隔や各コマンドなどを設定することが可能であり、これらの設定は携帯電話１ｘのキーボタン５の実際の操作に基づき設定される。よって、シナリオ作成編集画面を用いて作成する場合に比して、これらの設定が携帯電話１ｘのキーボタン５を操作することによって行われるので、容易に設定することができる。特に、被検査機器である携帯電話１と同機種の携帯電話１ｘのキーボタン５を操作して、この携帯電話１ｘでの操作に応じてプランジャーユニット７に対する操作手順であるシナリオを作成するとともに、この携帯電話１ｘでの操作に応じた操作手順に基づきプランジャーユニット７を動作させるので、プランジャーユニット７の携帯電話１に対する操作が、ユーザーが携帯電話を実際に操作する際の操作動作（操作フィーリング）により近いものとなり、携帯電話の動作可否を実際の操作ファイーリングを加味してより適正に判断することができることになる。
【００２３】
また、携帯電話１の反応を記録する（動作を検出する）ために、ＬＣＤパネル３の画面の画像だけでなく、音声も取得して判断するには、例えばマニピュレータＭＰ内にマイク（図示せず）を配して音声を録音すればよい。
【００２４】
作成したシナリオが正しく動作するか否かは構文チェックを行うための出力表示部１２と同様の画面で実行中にチェックし、チェックの結果は、例えば図６に示すように出力する。
【００２５】
図７は実行画面を示す図である。この画面は、図２に相当する疑似画面部２０、シナリオ一覧リスト表示部２１、シナリオリスト表示部２２、出力表示部１２から構成してあり、シナリオ一覧リスト表示部２１には、実行中のシナリオあるいはこれから実行するシナリオの名称を表示し、シナリオリスト表示部２２には実行中のシナリオを表示する。
【００２６】
そして、ある携帯電話について１回目のシナリオを実行した後、確認（手動判定と画像入れ替え）を行う。例えば、一度は手動で判定を行い、判定結果が良ければ画像を入れ替える。まず、画像を確認し（図５参照）、期待値画像と実行画像とを比較して両者が一致するかどうかについてシナリオの全ステップを判定する。複数のシナリオを実行するときは、全シナリオについて全ステップを判定する。そして比較した結果、期待値画像が直接画面を撮影した画像でない場合は、画像判定が行えないので期待値画像の入れ替えを行う。
【００２７】
なお判定範囲にはデフォルト判定範囲と個別判定範囲を設定でき、前者ではすべての画像に同じ判定範囲を適用し、後者では画面上で範囲を設定された画像だけに適用する。判定範囲と除外範囲も設定でき、判定範囲と除外範囲を組み合わせることで、複雑な形の判定ができる。コンピュータを用いたシステムであるので、もちろん判定範囲の座標指定等も可能である。
【００２８】
そして２回目以降のシナリオ実行の結果は、期待値画像が入れ替えられていれば、自動判定ができるようにする。自動判定機能は、用意された判定範囲に基づいて、期待値画像と実測画像とを比較して両者が一致するかどうかを自動的に判定する。この期待値画像と実測画像との一致性は、両者が完全一致するか否か、又はシナリオ実行により変化する部分などの主要部分が一致するか否か、などにより判定するようにすればよい。
このように、携帯電話１の動作である画像表示や音声出力の可否判定に関しては、コンピュータ８によって作成されたシナリオに基づき設定される動作状態と、動作状態検出手段であるカメラ４やマイクなどによって検出された携帯電話１の実際の動作状態とを比較して、両者の一致性に基づき判定するようにすればよい。また、それ以外の構成としては、コンピュータ８は、コンピュータ８によって作成されたシナリオに基づき動作されるマニピュレータＭＰから実際の動作状態を示す信号をコンピュータ８が受信して、受信した動作状態信号に基づくマニピュレータＭＰの操作動作に応じて設定される携帯電話１の動作状態と動作状態検出手段であるカメラ４やマイクなどによって検出された携帯電話１の実際の動作状態とを比較して、両者の一致性に基づき携帯電話１の動作可否を判定するように構成してもよい。
【００２９】
なお、コンピュータＱＣにおいてシナリオ作成用のプログラムを起動する際、ダイアログ等での指定により、マニピュレータＭＰで得た画像をもとにシナリオを作成するモードと、携帯電話１ｘを用いてシナリオを作成するモードとを選択できるようにしておくことが最も好ましいが、双方を同時に使用できるようにするか、どちらかを使用できないようにするかをも指定できればさらに好ましい。
【図面の簡単な説明】
【００３０】
【図１】本発明に係る携帯電話の検査装置の一実施形態を概念的に示す側面図である。
【図２】図１の装置のモニタにメイン画面として表示させる画面の内容を示す図である。
【図３】同じくシナリオ作成編集画面として表示させる画面の内容を示す図である。
【図４】シナリオの一例を示す図である。
【図５】取得した画像の実測値の判定に用いる画面を示す図である。
【図６】作成したシナリオのチェック結果の一例を示す図である。
【図７】作成したシナリオの実行画面を示す図である。
【符号の説明】
【００３１】
１、１ｘ  携帯電話
１ａ  携帯電話の全体平面画像
２  ベース
３  ＬＣＤパネル
３ａ  ＬＣＤパネルの画像
４  小型カメラ
５  操作ボタン（キーボタン）
５ａ  キーボタンのエリアを有する枠
５ｘ  電源／ＯＦＦボタン
６  レリーズ
７  プランジャーユニット
８  コンピュータ
９  モニタ
１０  コマンド設定メニュー
１１  シナリオリストボックス
１２  出力表示部
２０  疑似画面部
２１  シナリオ一覧リスト表示部
２２  シナリオリスト表示部
【図１】
0004489710.tif 000002
【図２】
0004489710.tif 000003
【図３】
0004489710.tif 000004
【図４】
0004489710.tif 000005
【図５】
0004489710.tif 000006
【図６】
0004489710.tif 000007
【図７】
0004489710.tif 000008